(57)【特許請求の範囲】
【請求項１】
開閉機構を持つヒンジを有する自動原稿搬送部と画像を読み取る画像読取部とを備えた画像読取装置において、
前記画像読取部は、前記自動原稿搬送部の開閉動作に合わせて揺動し、前記自動原稿搬送部の開閉角度を検知するための揺動部材と、
前記揺動部材と噛み合うことにより前記自動原稿搬送部が閉じる際の前記自動原稿搬送部と前記画像読取部との衝撃を緩和する衝撃緩和部材と、を有し、
前記衝撃緩和部材は、前記自動原稿搬送部が閉じる方向に移動する場合にのみ衝撃を緩和する力が働き、前記自動原稿搬送部が自重落下する位置から、衝撃を緩和する力が働き始めることを特徴とする画像読取装置。
【請求項２】
前記揺動部材および前記衝撃緩和部材を前記自動原稿搬送部の側に設けたことを特徴とする請求項１に記載の画像読取装置。
【請求項３】
請求項１〜２のいずれか１項に記載の画像読取装置を備えることを特徴とする画像形成装置。
【発明の詳細な説明】
【技術分野】
【０００１】
本発明は、プリンタ、複写機、ファクシミリ等のＡＤＦがスキャナに対して開閉する画像読取装置および画像形成装置に関する。
【背景技術】
【０００２】
一般的なＭＦＰ（マルチファンクションプリンタ）では、プリンタの上に画像読取装置（スキャナ）が設置され、さらにその上にＡＤＦ（自動原稿送り装置）が備え付けられている。画像読取方式としてＡＤＦが原稿テーブルにセットされた原稿を搬送しながら固定された読取手段により画像を読取るシートスルー方式と、ＡＤＦが開閉機構を有するヒンジを介して画像読取装置に装着され、ＡＤＦを開いて画像読取装置のコンタクトガラスの上に原稿をセットし、画像読取装置内の読取手段が移動することで画像を読取るフラットベッド方式と、があることが既に知られている。
【０００３】
後者の方式では、コンタクトガラス面に対するＡＤＦの圧板シートの傾きが２０度から６０度の範囲内では、ＡＤＦはヒンジによってフリーストップする。圧板シートの傾きが２０度付近を下回るとＡＤＦは自重で落下し、スキャナに衝突した際に大きな衝撃音が発生するため、ユーザは不快に感じることがある。
【０００４】
その対応として、ヒンジ内部に衝撃緩和部材（ダンパー）を入れて、落下時の衝撃音を低減する方法もある。例えば、図１３に示すピストンダンパー２１０をヒンジの内部に挿入しようとしてもピストンダンパー２１０のサイズが大きすぎてヒンジ２１１の内部に入らない。このため図１４に示すように、ピストンダンパー２１０´をヒンジ２１１´の内部に挿入するためにヒンジのサイズを拡大する必要がある。
【発明の概要】
【発明が解決しようとする課題】
【０００５】
しかしながら、ヒンジ内部に衝撃緩和部材を入れるため、ヒンジ自体が大きくなってしまい、必然的に、ヒンジを支えるスキャナも大きくなり装置の小型化を実現できない可能性がある。また、ヒンジを拡大せず、ダンパーを入れた場合、衝撃緩和効果の薄い小型ダンパーしか入れることができないので、衝撃音の低減に対して効果が薄い可能性あるという問題があった。
【０００６】
ヒンジ内部に部材を入れずスキャナの上面に孔を設け、設けた孔に部材を挿入する構成は特許文献１に記載されている。特許文献１に記載された開閉検知部２６０は、原稿読取部２００の上面部材２００ａに設けられた貫通孔２００ｂを開閉検知レバー２６１ａが上下に移動し、自動原稿送り装置の原稿押さえ板の開閉角度を検知するようになっている。ただし、特許文献１に記載されたものは衝撃音の低減を目的とするものではなく、衝撃音の低減のためのダンパーを設ける構成については記載されていない。
【０００７】
本発明はこのような問題を解決するためになされたもので、装置サイズを大型化することなく、ＡＤＦを閉じたときに発生する衝撃音を低減することができる画像読取装置および画像形成装置を提供することを目的とする。
【課題を解決するための手段】
【０００８】
本発明に係る画像読取装置は、上記目的を達成するため、開閉機構を持つヒンジを有する自動原稿搬送部と画像を読み取る画像読取部とを備えた画像読取装置において、前記画像読取部は、前記自動原稿搬送部の開閉動作に合わせて揺動し、前記自動原稿搬送部の開閉角度を検知するための揺動部材と、前記揺動部材と噛み合うことにより前記自動原稿搬送部が閉じる際の前記自動原稿搬送部と前記画像読取部との衝撃を緩和する衝撃緩和部材と、を有し、前記衝撃緩和部材は、前記自動原稿搬送部が閉じる方向に移動する場合にのみ衝撃を緩和する力が働き、前記自動原稿搬送部が自重落下する位置から、衝撃を緩和する力が働き始めることを特徴とする。
【発明の効果】
【０００９】
本発明によれば、装置サイズを大型化することなく、ＡＤＦを閉じたときに発生する衝撃音を低減することができる。
【図面の簡単な説明】
【００１０】
【図１】本発明の実施形態に係る画像形成装置の概略構成を示す断面図である。
【図２】本発明の実施形態に係る画像読取装置の斜視図である。
【図３】本発明の実施形態に係る画像読取装置の画像読取部の斜視図である。
【図４】本発明の実施形態に係る画像読取装置の側面からみた断面図である。
【図５】本発明の実施形態に係る画像読取装置の側面からみた断面図である。
【図６】本発明の実施形態に係る画像読取装置の側面からみた断面図である。
【図７】本発明の実施形態に係る画像読取装置の側面からみた断面図である。
【図８】本発明の実施形態に係る画像読取装置の正面からみた断面図である。
【図９】本発明の実施形態に係る画像読取装置の正面からみた断面図である。
【図１０】本発明の実施形態に係る画像読取装置の側面からみた断面図である。
【図１１】本発明の実施形態に係る画像読取装置の側面からみた断面図である。
【図１２】本発明の実施形態に係る画像読取装置において自動原稿搬送部に揺動部材を設けた場合を側面からみた断面図である。
【図１３】従来のヒンジにピストンダンパーを挿入する場合の概略図である。
【図１４】従来のヒンジにピストンダンパーを挿入する場合の概略図である。
【発明を実施するための形態】
【００１１】
以下、本発明の実施形態について、図面を参照して説明する。
【００１２】
図１に示すように、本実施の形態に係る画像形成装置１は、給紙部２、画像形成部３および画像読取部４を有する装置本体１Ｍと、装置本体１Ｍ上に配置された自動原稿搬送部５（以下、ＡＤＦともいう。）とを備えたデジタル複合機である。画像読取部４および自動原稿搬送部５は、画像読取装置６を構成している。
【００１３】
給紙部２は、それぞれカットシート状の転写紙Ｐを積層状態で収納可能な複数段の給紙カセット２１Ａ，２１Ｂ，２１Ｃを有している。各給紙カセット２１Ａ，２１Ｂ，２１Ｃには、例えば複数のシートサイズから予め選択されたシートサイズの転写紙Ｐ（例えば白紙）が、縦又は横の給紙方向に向けて収容されるようになっている。
【００１４】
給紙部２は、給紙カセット２１Ａ，２１Ｂ，２１Ｃに収納された転写紙Ｐをそれぞれの最上層側から順次ピックアップして分離給紙する給紙装置２２Ａ，２２Ｂ，２２Ｃを有している。給紙部２には、さらに、各種ローラ２３等が設けられており、これらによって、各給紙装置２２Ａ，２２Ｂ，２２Ｃから給紙された転写紙Ｐを画像形成部３の所定の画像形成位置まで搬送する給紙経路２４が形成されている。
【００１５】
画像形成部３は、露光装置３１と、感光体ドラム３２Ｋ，３２Ｙ，３２Ｍ，３２Ｃと、ブラック（Ｋ）、イエロー（Ｙ）、マゼンタ（Ｍ）およびシアン（Ｃ）のトナーが充填された現像装置３３Ｋ，３３Ｙ，３３Ｍ，３３Ｃとを備えている。また、画像形成部３は、一次転写部３４と、二次転写部３５と、定着部３６とを備えている。
【００１６】
露光装置３１は、例えば、画像読取装置６で読み取った画像に基づいて各色の露光用のレーザ光Ｌを生成するようになっている。また、露光装置３１は、レーザ光を各色の感光体ドラム３２Ｋ，３２Ｙ，３２Ｍ，３２Ｃを露光して、各感光体ドラム３２Ｋ，３２Ｙ，３２Ｍ，３２Ｃの表層部に読取画像に対応した各色の静電潜像を形成するようになっている。
【００１７】
現像装置３３Ｋ，３３Ｙ，３３Ｍ，３３Ｃは、それぞれ対応する感光体ドラム３２Ｋ，３２Ｙ，３２Ｍ，３２Ｃに薄層状のトナーを近接させるように供給して、静電潜像をトナーにより顕像化する現像を行うようになっている。
【００１８】
画像形成部３は、感光体ドラム３２Ｋ，３２Ｙ，３２Ｍ，３２Ｃ上に現像されたトナー像を一次転写部３４に一次転写し、一次転写部３４に近接する二次転写部３５でそのトナー像を転写紙Ｐに二次転写するようになっている。また、画像形成部３は、転写紙Ｐに二次転写したトナー像を定着部３６により加熱・加圧して溶融させ、転写紙Ｐにカラー画像を定着させて記録するようになっている。
【００１９】
画像形成部３は、給紙部２から給紙経路２４を経て搬入された転写紙Ｐを二次転写部３５側に搬送する搬送経路３９Ａを有している。この搬送経路３９Ａにおいては、まず、レジストローラ対３７において、転写紙Ｐの搬送タイミングおよび搬送速度が調整されるようになっている。そして、転写紙Ｐは、一次転写部３４および二次転写部３５でのベルト速度に同期した状態で二次転写部３５および定着部３６を通過した後、排紙トレイ３８上に排紙されるようになっている。
【００２０】
画像形成部３は、手差トレイ２５上に載置される転写紙（図示せず）をレジストローラ対３７よりも上流側で搬送経路３９Ａに給紙する手差給紙経路３９Ｂを併有している。
【００２１】
二次転写部３５および定着部３６の下方には、それぞれ複数の搬送ローラおよび搬送ガイド等からなるスイッチバック搬送路３９Ｃおよび反転搬送路３９Ｄが配設されている。
【００２２】
スイッチバック搬送路３９Ｃは、転写紙Ｐの両面に画像を形成する場合に、任意の一面に画像定着が済んだ転写紙Ｐを一端から進入させた後に、後退（進入時とは逆方向に移動）させるスイッチバック搬送を行うようになっている。
【００２３】
反転搬送路３９Ｄは、スイッチバック搬送路３９Ｃによりスイッチバック搬送された転写紙Ｐの表裏を反転させて、レジストローラ対３７に再度給紙するようになっている。
【００２４】
これらスイッチバック搬送路３９Ｃおよび反転搬送路３９Ｄにより、一面に対する画像定着処理を終えた転写紙Ｐは、その進行方向を逆向きに切り替えられた後に表裏反転されて、再び二次転写ニップに進入する。そして、転写紙Ｐは、他面にも画像の二次転写処理と定着処理とが施された後、排紙トレイ３８上に排紙されるようになっている。
【００２５】
画像読取部４は、図示しない光源および図示しないミラー部材を搭載した第１キャリッジ４１と、図示しないミラー部材を搭載した第２キャリッジ４２と、結像レンズ４３と、撮像部４４と、第１コンタクトガラス４５とを備えている。これらは装置本体１Ｍ側に配設され、第１コンタクトガラス４５上に搬送される原稿シートＳの片側の画像面（例えば表側の画像面）の画像読取りする第１面読取部４０を構成している。ここにいう第１面とは、自動搬送される原稿シートＳの片面、例えば表側の画像面である。
【００２６】
画像読取部４には、原稿シートＳが載置される第２コンタクトガラス４６と、原稿シートＳの一辺の突当ておよび位置決めが可能な突当部材４７ａ等とが併設されている。
【００２７】
第１キャリッジ４１は、第１コンタクトガラス４５および第２コンタクトガラス４６の下方に、図中の左右方向に移動可能におよび位置制御可能に設けられており、光源からの照明光をミラー部材で反射して露光面側に照射することができるようになっている。原稿シートＳで反射した反射光は、第１キャリッジ４１および第２キャリッジ４２に搭載された各ミラー部材を経由して結像レンズ４３により結像され、撮像部４４にてその結像した画像が読み取られるようになっている。
【００２８】
画像読取部４は、光源点灯状態で第１キャリッジ４１および第２キャリッジ４２を例えば２：１の速度比で移動させつつ、第２コンタクトガラス４６上に置いた原稿シートＳの画像面を露光走査することができるようになっている。そして、画像読取部４は、この露光走査時に撮像部４４により原稿画像を読み取ることで、固定原稿読取機能（いわゆるフラットベッドスキャナ機能）を発揮できるようになっている。
【００２９】
画像読取部４は、第１キャリッジ４１を第１コンタクトガラス４５の直下の定位置に停止させることができるようになっている。そして、画像読取部４は、光源や反射ミラー等からなる光学系を移動させることなく、自動原稿搬送中の原稿シートＳの第１面の画像を読み取る移動原稿読取機能（いわゆるＤＦスキャナ機能）を発揮できるようになっている。
【００３０】
さらに、画像形成装置１は、画像読取部４における第１面読取部４０に加えて、自動原稿搬送部５側に内蔵された第２面読取部４８を併有している。第２面読取部４８は、第１コンタクトガラス４５上を通過した後の原稿シートＳの第２面、例えば裏側の画像面を走査するようになっている。
【００３１】
自動原稿搬送部５は、シートスルー方式の自動原稿搬送装置として構成されている。自動原稿搬送部５は、原稿載置台である原稿テーブル５１と、各種ローラおよびガイド部材等からなる原稿搬送部５２と、画像読み取り後の原稿シートＳを集積する原稿排紙トレイ５３とを備えている。
【００３２】
図２に示すように、画像読取部４は、画像形成装置１の装置本体１Ｍの上部に位置している。画像読取部４は、原稿シートＳの搬送経路に位置する第１コンタクトガラス４５と、原稿シートＳが載置可能な第２コンタクトガラス４６と、原稿シートＳの一辺の突当ておよび位置決めが可能な突当部材４７ａとを有している。また、装置本体１Ｍは、上部前面側に操作部１５０を設置している。
【００３３】
操作部１５０は、プリントキー１５１およびタッチパネル１５２等を有しており、プリントキー１５１が押下されると、画像形成装置１に対して複写動作の開始を要求するようになっている。
【００３４】
自動原稿搬送部５は、画像形成装置１の装置本体１Ｍの上部にヒンジｈを介して開閉動作可能に連結され、下面に圧板シート４７ｂが装着されている。自動原稿搬送部５は、画像読取部４における第１コンタクトガラス４５および第２コンタクトガラス４６を露出させる開放位置と、第１コンタクトガラス４５および第２コンタクトガラス４６を覆う閉止位置との間で回動操作されるようになっている。
【００３５】
図３に示すように画像読取部４の上面には、長手方向の上縁近傍の左右両側にヒンジ差込穴３１３が設けられている。ヒンジ差込穴３１３には差込式のヒンジｈが各々差し込まれるようになっている。ヒンジ差込穴３１３の左右両側にはピン押込孔３１２が各々設けられている。ピン押込孔３１２には後述する押し込みピン３０１が押し込まれるようになっている。
【００３６】
図４はＡＤＦ５が開いており、押し込みピン３０１がＡＤＦ５により押し込まれる前の状態を示す図である。画像読取部４には押し込みピン３０１とピン押込孔３１２とロータリーダンパー３０２と原稿サイズ検知センサ３０５と開閉検知センサ３０６とが設けられている。
【００３７】
ピン押込孔３１２は画像読取部４の上面に設けられ、押し込みピン３０１の上下移動を可能としている。本実施の形態ではピン押込孔３１２を２つのヒンジｈの間に１つ設けたが、ピン押込孔３１２の位置、個数はこれに限られるものではない。例えばＡＤＦ５の重量が重い場合は、ピン押込孔３１２を複数設け、押し込みピン３０１をピン押込孔３１２に各々挿入するようにしてもよい。
【００３８】
押し込みピン３０１は、ストッパー３０８とラック３０４とフィラー３０７と引張スプリング３０９（図８参照）を有している。押し込みピン３０１は、ＡＤＦ５と接触することＡＤＦ５の開閉動作にあわせて上下に揺動し移動するようになっている。押し込みピン３０１とラック３０４は本発明に係る揺動部材を構成している。
【００３９】
ストッパー３０８は押し込みピン３０１の所定の位置にピン押込孔３１２より大きい径にて設けられている。ストッパー３０８は、押し込みピン３０１が上側に移動したときにストッパー３０８が画像読取部４の上部と接触することで、押し込みピン３０１が所定の位置より上方へ移動するのを防ぐようになっている。
【００４０】
ラック３０４は、押し込みピン３０１の所定の側に設けられ、一定の高さまで押し込みピン３０１が下降するとロータリーダンパー３０２に設けられたピニオン３０３と噛み合うようになっている。ロータリーダンパー３０２とピニオン３０３は本発明に係る衝撃緩和部材を構成している。
【００４１】
フィラー３０７は、押し込みピン３０１の所定の側に設けられ、一定の高さまで押し込みピン３０１が下降すると後述する原稿サイズ検知センサ３０５および開閉検知センサ３０６を横切ることで、ＡＤＦ５の開閉角度を検知させるようになっている。
【００４２】
ロータリーダンパー３０２は、ピニオン３０３を備え、画像読取部４内部の押し込みピン３０１が上下移動する範囲内の所定の位置であって押し込みピン３０１の近傍に設けられている。ピニオン３０３は、一定の高さまで押し込みピン３０１が下降すると押し込みピン３０１に設けられたラック３０４と噛み合うようになっている。
【００４３】
原稿サイズ検知センサ３０５は、画像読取部４内部の押し込みピン３０１が上下移動する範囲内の所定の位置であって押し込みピン３０１の近傍に設けられている。原稿サイズ検知センサ３０５は、画像読取部４内部の押し込みピン３０１に設けられたフィラー３０７が一定の高さまで下降すると、フィラー３０７を検知する。原稿サイズ検知センサ３０５によるフィラー３０７の検知をもって、画像読取装置６は原稿サイズ検知を開始するようになっている。
【００４４】
開閉検知センサ３０６は、画像読取部４内部の押し込みピン３０１が上下移動する範囲内の所定の位置であって、原稿サイズ検知センサ３０５の下方で押し込みピン３０１の近傍に設けられている。開閉検知センサ３０６は、画像読取部４内部の押し込みピン３０１に設けられたフィラー３０７が一定の高さまで下降すると、フィラー３０７を検知する。開閉検知センサ３０６によるフィラー３０７の検知をもって、画像読取装置６はＡＤＦ５が閉じたと判断するようになっている。
【００４５】
図５〜図７を用いてＡＤＦ５が閉じる際の押し込みピン３０１の動きについて説明する。図５に示すように、ＡＤＦ５を閉じていくと、ＡＤＦ５のベース面が押し込みピンと接触し、下方へ移動していく。更にＡＤＦ５を閉じていくと、原稿サイズ検知の始動をさせるための原稿サイズ検知センサ３０５に対して、押し込みピン３０１のフィラー３０７が原稿サイズ検知センサ３０５を横切る。これをトリガーとして原稿読取装置６は原稿サイズ検知を行う。
【００４６】
原稿サイズ検知センサ３０５をＡＤＦ５が閉じたことを検知する開閉検知センサ３０６より上方に設けたのは以下の理由によるものである。
【００４７】
第２コンタクトガラス４６に対して、ＡＤＦ５の圧板シート４７ｂの部分が、所定の距離だけ離れていないと（ＡＤＦ開閉角度が大きくないと）、原稿サイズの誤検知を引き起こしてしまう。ＡＤＦ５が完全に閉じられると、原稿の存在しない領域であっても、原稿を押さえているＡＤＦ５の表面がＬＥＤ光を良好に反射させることから、その領域に原稿が存在しているものと誤判定してしまうためである。したがって、ＡＤＦ５を閉めていった場合、まず、フィラー３０７が原稿サイズ検知センサ３０５を横切り、原稿サイズ検知を開始した後にＡＤＦ５が閉じる（フィラー３０７が開閉検知センサ３０６を横切る）ようにする必要があるためである。
【００４８】
更にＡＤＦ５を閉じていき、ＡＤＦ５がヒンジｈのフリーストップ範囲を超えると、ＡＤＦ５は自重落下するよう切り替わる。本実施の形態ではヒンジｈのフリーストップ範囲は２０度〜６０度であるが、フリーストップ範囲は必ずしもこの範囲に限られない。
【００４９】
ＡＤＦ５が自重落下をする角度に達すると、押し込みピン３０１が備えるラック３０４が、ロータリーダンパー３０２が備えるピニオン３０３と噛み合うことで、図６中矢印方向にピニオン３０３が回転し、押し込みピン３０１が下方向へ進行する力に対して、衝突緩和力が働き始める。それにより、ＡＤＦ５の落下速度が低減することで、ＡＤＦ５を閉じた時の衝撃音が低減可能となり、静音化を実現することができる。
【００５０】
その後、図７に示すように、押し込みピン３０１が備えるフィラー３０７が開閉検知センサ３０６を覆う位置へ移動すると、画像読取装置６はＡＤＦ５が閉まったと判断する。
【００５１】
図８および図９を用いて押し込みピン３０１がＡＤＦ５とともに上方へ移動する様子を説明する。
【００５２】
図８は画像形成装置１の正面側から見た断面図であり、ＡＤＦ５を閉じた状態を示している。弾性力を有する引張スプリング３０９は、一方の端部を押し込みピン３０１に設けられたピン側フック３１０に接続され、他方の端部を画像読取装置６の側に設けられた装置側フック３１１に接続されている。押し込みピン３０１には、引張スプリング３０９の有する弾性力によって、図中矢印方向へ戻る力が付与されている。本実施の形態では押し込みピン３０１に力を付与する部材として引張スプリング３０９を用いたが、他の弾性力を有する部材を用いても構わない。
【００５３】
図９は図８に示す状態からＡＤＦ５を開いた状態を示している。ＡＤＦ５を開いた場合、前述の通り引張スプリング３０９により図中矢印方向へ戻る力が押し込みピン３０１に対して付与されているため押し込みピン３０１は上方へ移動する。そして、ストッパー３０８が画像読取装置６の上面と接する所定の位置まで押し込みピン３０１は戻る。
【００５４】
図１０および図１１は画像形成装置１の一方の側面側から見た断面図であり、図１０はＡＤＦ５が閉じた状態から開き始めた直後の状態を、図１１はＡＤＦ５が完全に開いた状態を示している。
【００５５】
ＡＤＦ５を開くと、押し込みピン３０１が上昇し、ラック３０４を通じてロータリーダンパー３０２のピニオン３０３に力が付与される。ピニオン３０３は、図中矢印方向に戻るような回転を始めるが、ＡＤＦ５が閉じるときと同様の衝撃緩和力が付与されていると、押し込みピン３０１の上昇を妨げてしまう。
【００５６】
本実施の形態では、ワンウェイ入りのロータリーダンパー３０２を用いることで、図中矢印方向への回転に対して、衝撃緩和力を付与させない。すなわちＡＤＦ５が閉じる方向に移動する場合にのみ衝撃を緩和する力が働くため、押し込みピンのスムーズな上昇を可能としている。
【００５７】
また、開閉検知センサ３０６は押し込みピン３０１の上昇に伴いフィラー３０７が上昇すると検知がＯＦＦになる。この開閉検知センサ３０６の検知のＯＦＦ状態への移行は、省エネ復帰をするトリガーとしても使用される。
【００５８】
本実施の形態では画像読取部４の側に、押し込みピン３０１とピン押込孔３１２とロータリーダンパー３０２と原稿サイズ検知センサ３０５と開閉検知センサ３０６設けたが、図１２に示すようにこれらをＡＤＦ側に設けても良い。
【００５９】
以上のように、本実施の形態に係る画像読取装置６は、画像読取部４がヒンジｈを有するＡＤＦ５の開閉動作に合わせて揺動し、ＡＤＦ５の開閉角度を検知するための押し込みピン３０１と、押し込みピン３０１のラック３０４と噛み合うことによりＡＤＦ５が閉じる際のＡＤＦ５と画像読取部４との衝撃を緩和するピニオン３０３を有するロータリーダンパー３０２を有するよう構成した。
【００６０】
この構成によりＡＤＦ５が閉じる際に、押し込みピン３０１が下降し、ラック３０４がロータリーダンパー３０２のピニオン３０３と噛み合うのでＡＤＦ５と画像読取部４との衝撃を緩和できるので、ＡＤＦ５を閉じたときに発生する衝撃音を低減することができる。また、ダンパーをヒンジの内部に設ける必要がないため、装置サイズを大型化する必要がない。
【００６１】
また、ロータリーダンパー３０２はＡＤＦ５が閉じる方向に移動する場合にのみ衝撃を緩和する力が働き、ＡＤＦ５が自重落下する位置から衝撃を緩和する力が働き始めるようにしてもよい。この構成により、ＡＤＦ５を開く際にはロータリーダンパー３０２による力が働かないため、押し込みピン３０１はスムーズに所定の位置に戻ることが可能である。また、ＡＤＦ５が自重落下しない、いわゆるフリーストップする範囲ではＡＤＦの開閉動作時に衝撃緩和力が働かないため、スムーズにＡＤＦ５の開閉動作を行うことができる。
【００６２】
また、押し込みピン３０１およびロータリーダンパー３０２をＡＤＦ５の側に設けるようにしてもよい。
【００６３】
以上、本発明の実施の形態について説明したが、本発明は上述の実施の形態に限定されるものではなく、本発明の要旨を逸脱しない範囲で種々の変更を加え得ることは勿論である。
【００６４】
本発明によれば、装置サイズを大型化することなく、ＡＤＦを閉じたときに発生する衝撃音を低減することができ、画像読取装置および画像形成装置全般に有用である。
【符号の説明】
【００６５】
１  画像形成装置
４  画像読取部
５  自動原稿搬送部（自動原稿搬送装置）
６  画像読取装置
３０１  押し込みピン（揺動部材）
３０２  ロータリーダンパー（衝撃緩和部材）
３０３  ピニオン（衝撃緩和部材）
３０４  ラック（揺動部材）
【先行技術文献】
【特許文献】
【００６６】
【特許文献１】特開２０１２−１０４８８０号公報
【図１】
0006488850.tif 000002
【図２】
0006488850.tif 000003
【図３】
0006488850.tif 000004
【図４】
0006488850.tif 000005
【図５】
0006488850.tif 000006
【図６】
0006488850.tif 000007
【図７】
0006488850.tif 000008
【図８】
0006488850.tif 000009
【図９】
0006488850.tif 000010
【図１０】
0006488850.tif 000011
【図１１】
0006488850.tif 000012
【図１２】
0006488850.tif 000013
【図１３】
0006488850.tif 000014
【図１４】
0006488850.tif 000015